(57)【要約】  【課題】挟持部の被挟持物への挟持力を向上させ、不用意にカード等の被挟持物が抜け落ちたりズレたりしない使い勝手の良い紙葉類挟持スタンドを低コストで提供する。  【解決手段】紙葉類の挟持部となる当接ないし近接する一対の立壁２A、２Bと、立壁２A、２Bに谷折りされて連接するベースと、立壁が山折りされて設けられる上縁部４とを備えると共に、上縁部４近傍の立壁２A、２Bが前記挟持部の隙間間隔より離間した領域５を設た。  【選択図】図１
2005107307.tif 000002
【特許請求の範囲】
【請求項１】
１枚の樹脂シートを折り曲げて形成したカード等の紙葉類を挟持するための透光性を有したスタンドであって、
紙葉類の挟持部となる当接ないし近接する一対の立壁と、立壁に谷折りされて連接するベースと、立壁が山折りされて設けられる上縁部とを備えると共に、上縁部近傍の立壁に前記挟持部の隙間間隔より離間した離間領域を備えることを特徴とする紙葉類挟持スタンド。
【請求項２】
前記離間領域が、紙葉類を挟持する方向に立壁の挟持部を付勢する付勢体となることを特徴とする請求項１記載の紙葉類挟持スタンド。
【請求項３】
前記離間領域の下端部と挟持部との境界部分において、一対の立壁が周辺の挟持部における離間間隔よりも絞り込まれていることを特徴とする請求項１又は２に記載の紙葉類挟持スタンド。
【請求項４】
前記離間領域が、上縁部近傍の立壁を相互に膨出させることで形成されることを特徴とする請求項１、２又は３に記載の紙葉類挟持スタンド。
【発明の詳細な説明】
【技術分野】
【０００１】
本発明は、カード等の紙葉類を挟持し掲示する卓上スタンドなどとして好適に用いられる紙葉類挟持スタンドに関するものである。
【背景技術】
【０００２】
紙葉類を挟持するスタンドは、例えば図７に示されるように、１枚の樹脂シートからの折り曲げ加工で形成されて一対のベース１０３と立壁１０２とが側面視凸状に連続した形状を有し、紙葉類Ｍを底部から挿入して略垂直挟持するものが最も良く知られている。
【０００３】
また、上記形状のスタンドにおいて、紙葉類Ｍ等の被挟持物の脱落を防止するために一対の挟持部を相互に連繋する雄雌の係合手段を有するものが知られている。（特許文献１）
【特許文献１】実用新案登録第３０７８６７２号公報
【発明の開示】
【発明が解決しようとする課題】
【０００４】
従来の紙葉類Ｍを略垂直挟持するスタンドにおいて、スタンドに挿入された紙葉類の表示内容を見るために手に取ったり、またテーブルやデスクでの載置位置を移動させるような場合、紙葉類を挟持する力が弱く不用意に被挟持物が抜け落ちたりズレたりする不都合が生じていた。これは、紙葉類Ｍを挟持する一対の立壁１０２、１０２が、ベース１０３から上縁部に至るまで一定の隙間間隔となるように形成され、かつ紙葉類Ｍを挿入容易なようにその離間間隔が比較的大きく設定されているからである。
【０００５】
このような不都合を解消するために、紙葉類Ｍを挟持する一対の立壁１０２、１０２を密接ないし当接させ挟持力を向上させるよう構成することも考えられるが、このようにした場合、挟持部の隙間がなくなり被挟持物をスタンドの上縁部まできっちりと挿入させることが難しくなり、その結果、紙葉類の挿入作業中に紙葉類が折れたり、挿入口からはみ出したりする等の不都合が新たに生じてしまう。
【０００６】
また、特許文献１のように一対の掲示板部を相互に連繋する雄雌の係合手段を掲示板部に設けることで、被挟持物が抜け落ちたりズレたりすることを防止するものもあるが、使用する際に組立ての手間が生じたり、製造コストがアップする等の不都合が逆に生じている。
【０００７】
そこで本発明の目的は、上縁部近傍の立壁に挟持部の隙間間隔よりさらに離間した領域を設けることによって、挟持部の被挟持物への挟持力を向上させ、不用意にカード等の被挟持物が抜け落ちたりズレたりしない使い勝手の良い紙葉類挟持スタンドを低コストで提供することにある。
【課題を解決するための手段】
【０００８】
前述した目的を達成するために、本発明の紙葉類挟持スタンドは、１枚の樹脂シートを折り曲げて形成したカード等の紙葉類を挟持するための透光性を有したスタンドであって、
紙葉類の挟持部となる当接ないし近接する一対の立壁と、立壁に谷折りされて連接するベースと、立壁が山折りされて設けられる上縁部とを備えると共に、上縁部近傍の立壁に前記挟持部の隙間間隔より離間した離間領域を設けている。
【０００９】
前記離間領域は、スタンド上縁部近傍の立壁に設けられ紙葉類の挟持部となる一対の立壁の隙間間隔より離間している構成を採っているので、前記挟持部を密接ないしより当接させ挟持力を向上させる構成を採っても、紙葉類等の被挟持物をスタンド上縁部まできっちりと挿入し易くなる。
【００１０】
加えて、上縁部近傍の立壁が挟持部となる立壁より外側に位置することになり、挟持部となる立壁を相互に当接させようとする方向へ付勢する付勢体として作用させて被挟持物を安定保持することも容易となる。
【００１１】
さらに、前記離間領域の下端部と挟持部との境界部分において、一対の立壁が周辺の挟持部における離間領域よりも絞り込まれるよう形成されているものが望ましい。このようにすれば、挟持部に被挟持物を挟持する隙間がより狭められた部位が設けられ、この部位の被挟持物への締付力を増加させることができ、被挟持物の保持をより一層確実なものとすることができる。また、この部位における締付力さえ確保できれば、周辺の挟持部における挟持力を比較的緩やかに設定することで、必要な保持力と円滑な挿脱容易性とを好適に両立させることが比較的容易となる。
【００１２】
加えて、前記離間領域が、上縁部近傍の立壁を相互に膨出させて形成することにより、一対に形成される挟持部双方に対し均等な付勢力で被挟持物を前後から挟持することが可能となり、被挟持物を安定保持させることができる共に、被挟持物を出し入れする際の挿入口の反挟持方向への開口作業も均等な力で行うことができ、被挟持物の出し入れをし易くすることができる。
【発明の効果】
【００１３】
本発明の紙葉類挟持スタンドは、以上説明した構成であるから、挟持部による被挟持物に対する挟持力を向上させると共に、被挟持物をスタンド上縁部までしっかりと挿入できるようになり、被挟持物の安定保持が可能となり、不用意にカード等の被挟持物が抜け落ちたりズレたりすることを不都合を解消することができる。また、被挟持物の出し入れを容易にすることができる。
【発明を実施するための最良の形態】
【００１４】
以下、本発明の第一の実施形態を図面を参照して説明する。
【００１５】
この実施形態の紙葉類挟持スタンド１は、図１ないし図２に示すように、カード等の紙葉類を挟持する挟持部２Ａｘ、２Ｂｘとなる立壁２A及び立壁２Bと、立壁２A及び立壁２Bにそれぞれ略直角に谷折りされて連接されるベース３A及びベース３Bと、上縁部４の近傍に前記立壁２A、２B間に形成される隙間間隔より離間させて設けた離間領域５とから構成され、図３に示すように１枚の透光性のある熱可塑性樹脂のシートSをパイプヒーターPで加熱し、順次折り曲げ加工を行うことで形成される。
【００１６】
立壁２A、２Bとなる部位（２Ａ）、（２Ｂ）は、図３に示すように、紙葉類に掲載された内容を掲示するために紙葉類を挟持できるよう、熱可塑性樹脂シートS上の上縁部４となる部位（４）をパイプヒーターPで加熱した後、この部位（４）を介して２枚厚に折り重ねられることによって互いに対向配置される。
【００１７】
一方、ベース３A、３Bとなる部位（３Ａ）、（３Ｂ）は、図３に示すように、熱可塑性樹脂シートS上の立壁２A、２Bの下縁部２１A、２１Bとなる部位（２１Ａ）、（２１Ｂ）をパイプヒーターＰで加熱した後、これらの部位（２１A）、（２１B）を介して外側に向けかつ略直角となるよう折り曲げられ、立壁２A、２Bを略垂直に支持する基板を構成する。
【００１８】
スタンド１は、前記立壁２A、２B及びベース３A、３Bを設けるための折り曲げ加工完了後、図４に示されるように、成形台Dにて側面視凸形状に形を整えられる。
【００１９】
離間領域５は、成形台Dの上縁部４となる部位（４）の近傍が載置される部位に凹部D1を設けると共に、凹部D1とは反対面側の上縁部４となる部位（４）の近傍には錘Wを載せず、このようにして立壁２A、２Bとなる部位（２Ａ）、（２Ｂ）に対して双方に押圧しない部位を設けることで形成される。つまり、立壁２A、２Bにおける紙葉類の挟持部２Ａｘ、２Ｂｘとなる部位（２Ａｘ）、（２Ｂｘ）には錘Wによる圧力によってその内側同士がより当接するよう成形されるが、上縁部４近傍の立壁２A、２Bとなる部位（２Ａ）、（２Ｂ）には上縁部４の加熱折り曲げで形成された当初の離間距離が残ったままとなり、側面視上縁部４近傍の立壁２A、２Bが膨出した形となり、前記立壁２A、２Bの挟持部２Ａｘ、２Ｂｘにおける隙間間隔よりも離間した離間領域５となる。そして、この離間領域５により立壁２A、２Bの挟持部２Ａｘ、２Ｂｘが紙葉類を挟持する方向に締付けられる。特に、紙葉類を差し込んだ際に挟持部２Ａｘ、２Ｂｘが開こうとする動作は、前記離間領域５から働く締め付け力によって有効に抑止される。
【００２０】
次に、本発明の第二の実施形態を図面を参照して説明する。
【００２１】
なお、図５に示されるように、立壁２０A及び立壁２０B、ベース３０A及びベース３０B、上縁部４０の近傍に離間領域５０が設けられる構成は第一の実施形態において立壁２Ａ及び立壁２Ｂ、ベース３Ａ及びベース３Ｂ、上縁部４の近傍に離間領域５が設けられる構成と同じであるので詳細は省略する。
【００２２】
この実施形態の離間領域５０は、その下端部と挟持部２０Ａｘ、２０Ｂｘとの境界部分５０１Ａ、５０１Ｂが離間隙間を小さくする方向に向けて側面視凹形状となるよう絞り込まれるように構成されている。これにより、挟持部２０Ａｘ、２０Ｂｘよりも境界部分５０１Ａ、５０１Ｂにおける被挟持物への挟持力をさらに増加させることができ、被挟持物の保持をより一層確実なものとすることができる。
【００２３】
境界部分５０１A、５０１Bの絞り込みは、図６に示されるように、錘Wの底面に当該境界部分５０１Ａ、５０１Ｂの凹形状に相応する突起WTを設けるとともに、成形台Ｄにおける凹部D１の隣接する位置であって前記突起WTに相対する部位に突起DTを設けることで形成される。
【００２４】
第一及び第二の実施形態では、離間領域５、５０が、上縁部４、４０近傍の立壁２Ａ、２Ｂ、２０Ａ、２０Ｂを相互に膨出させることで形成されるようにしているが、図５及び図６中、成形台Dの上縁部４、４０となる部位（４）、（４０）近傍が載置される部位に凹部D1を設けず、錘Wが載置される側の立壁２A、２０Ａとなる部位（２Ａ）、（２０A）または立壁２B、２０Ｂとなる部位（２Ｂ）、（２０B）のみを膨出させて、離間領域５、５０を設けても良い。また、図４において、立壁２Ａ、２Ｂとなる部位（２Ａｘ）、（２Ｂｘ）を押圧する錘Wを上端部となる部位（４）、（４０）側と下端部２０１Aもしくは２０１Bとなる部位（２０１Ａ）、（２０１Ｂ）側とに２個使用しているが、本発明のスタンドの成形を確実に行える範囲であれば錘Wの個数は上記に限定されるものではない。これは図６においても同様である。
【００２５】
以上、本発明は主にカード等の紙葉類を挟持する紙葉類挟持スタンドに適応した実施例について詳述したが、本実施形態に限られるものではなく、その趣旨を逸脱しない範囲でカード以外の紙葉類を挟持する所謂フォトスタンド等としての数々の変形が可能である。
【図面の簡単な説明】
【００２６】
【図１】本発明の第一実施形態における紙葉類挟持スタンドを示す斜視図
【図２】同実施形態における紙葉類挟持スタンドを示す側断面図
【図３】同実施例における紙葉類挟持スタンドの折り曲げ加工工程を説明する斜視図
【図４】同実施例における紙葉類挟持スタンドの成形工程を説明する説明図
【図５】本発明の第二実施形態における紙葉類挟持スタンドを示す側断面図
【図６】同実施例における紙葉類挟持スタンドの成形工程を説明する説明図
【図７】従来の紙葉類挟持スタンドを示す斜視図
【符号の説明】
【００２７】
１、１０…スタンド
２A、２B、２０A、２０B…立壁
３A、３B、３０A、３０B…ベース
４、４０…上縁部
５、５０…離間領域
２１A、２１B、２０１A、２０１B…立壁下縁部
５０１A、５０１B…境界部分
S…熱可塑性樹脂シート
P…パイプヒーター
W…錘
D…成形台
D1…成形台凹部
M…挟持状態にある紙葉類
【図１】
2005107307.tif 000003
【図２】
2005107307.tif 000004
【図３】
2005107307.tif 000005
【図４】
2005107307.tif 000006
【図５】
2005107307.tif 000007
【図６】
2005107307.tif 000008
【図７】
2005107307.tif 000009